(57)【要約】【課題】１点の部品である固定具だけで、かつ省スペースで、パネル材の取付け用孔に固定具を取付け、固定具に器具を取付けることができる器具の取付け構造を提供する。【解決手段】取付け用孔１ａが形成されたパネル材１と、パネル材１の一方の面１ｂ側から取付け用孔１ａに嵌入される嵌入部２ａを有する固定具２とが設けられて、固定具２の嵌入部２ａの一端部に、パネル材１の一方の面１ｂに当て止められるツバ部２ｂが形成され、固定具２の嵌入部２ａに、パネル材１の他方の面１ｃに係止される第１係止爪２ｅと、器具３を嵌入部２ａの他端縁との間に係止する第２係止爪２ｆとが形成されている。【選択図】図１
2008130303.tif 000002
【特許請求の範囲】
【請求項１】
取付け用孔が形成されたパネル材と、パネル材の一方の面側から取付け用穴に嵌入される嵌入部を有する固定具とが設けられて、固定具の嵌入部の一端部に、パネル材の一方の面に当て止められるツバ部が形成され、固定具の嵌入部に、パネル材の他方の面に係止される第１係止爪と、器具を嵌入部の他端縁との間に係止する第２係止爪とが形成されていることを特徴とする器具の取付け構造。
【請求項２】
第２係止爪は、固定具の嵌入部の他端縁から第１係止爪とは相対位置がずらされて立ち上がることを特徴とする請求項１に記載の器具の取付け構造。
【請求項３】
第２係止爪は、第１係止爪の上端縁から立ち上がることを特徴とする請求項１に記載の器具の取付け構造。
【請求項４】
前記固定具の嵌入部には、ツバ部側に底部を有する凹部が形成され、少なくとも底部は透光性を有するとともに、前記器具は、照明器具であり、光源が嵌入部の凹部に嵌り込むものであることを特徴とする請求項１〜３のいずれか一項に記載の器具の取付け構造。
【発明の詳細な説明】
【技術分野】
【０００１】
本発明は、器具、例えば照明器具をパネル材の取付け用孔に取付ける構造に関する。
【背景技術】
【０００２】
従来、透光キャップの係止脚部をキャビネットの差し込み孔に差し込んで係止するとともに、ランプを係止脚部のランプ保持用凹部に押し込んで挟持固定して、ランプを取付けた基板をキャビネット裏面の基板保持用突片の間に差し込むようにしたインジケータの取付け構造がある（特許文献１参照）。
【特許文献１】特開平１１−２１４８６５号公報
【発明の開示】
【発明が解決しようとする課題】
【０００３】
しかしながら、背景技術では、ランプの基板をキャビネット側に取付けるようになっているので、取付け構造が複雑になるとともに、係止脚部が突出するので、キャビネットの裏側に大きなスペースが必要となるという問題があった。
【０００４】
本発明は、前記問題を解消するためになされたもので、取付け構造が簡単で、かつ省スペースで、パネル材の取付け用孔に固定具を取付け、固定具に器具を取付けることができる器具の取付け構造を提供することを目的とするものである。
【課題を解決するための手段】
【０００５】
前記課題を解決するために、本発明は、取付け用孔が形成されたパネル材と、パネル材の一方の面側から取付け用穴に嵌入される嵌入部を有する固定具とが設けられて、固定具の嵌入部の一端部に、パネル材の一方の面に当て止められるツバ部が形成され、固定具の嵌入部に、パネル材の他方の面に係止される第１係止爪が形成されるとともに、固定具の嵌入部の他端縁に、第１係止爪とは相対位置がずらされて立ち上がり、器具を嵌入部の他端縁との間に係止する第２係止爪が形成されていることを特徴とするものである。
【０００６】
請求項２のように、第２係止爪は、固定具の嵌入部の他端縁から第１係止爪とは相対位置がずらされて立ち上がる構成、または請求項３にように、第２係止爪は、第１係止爪の上端縁から立ち上がる構成のいずれかを選択することができる。
【０００７】
請求項４のように、前記固定具の嵌入部には、ツバ部側に底部を有する凹部が形成され、少なくとも底部は透光性を有するとともに、前記器具は、照明器具であり、光源が嵌入部の凹部に嵌り込むものである構成とすることができる。
【発明の効果】
【０００８】
本発明によれば、パネル材の取付け用穴に固定具の嵌入部を嵌入すると、パネル材の一方の面に固定具のツバ部が当て止められるとともに、固定具の第１係止爪がパネル材の他方の面に係止されることで、パネル材の取付け用孔に固定具が取付けられるようになる。また、器具を嵌入部の他端縁に当てがうと、固定具の第２係止爪が器具を係止することで、固定具の他端縁に器具が取付けられるようになる。
【０００９】
このように、１点の部品である固定具だけで、パネル材の取付け用孔に固定具を取付け、固定具に器具を取付けることができるので、取付け構造が簡単になるとともに、部品点数が減少してコスト安になる。また、第２係止爪は器具を係止するために突出するだけであるので、パネル材の他方の面（裏側）に無用なスペースが不要になって、省スペース化を図ることができる。
【００１０】
請求項４によれば、器具が照明器具であれば、照明器具の取付けに利用できるとともに、固定具の嵌入部の凹部に光源を嵌め込むことで、透光性の底部を透して光源から照明できるので、固定具を光源のカバーとしても利用できるようになる。
【発明を実施するための最良の形態】
【００１１】
以下、本発明を実施するための最良の形態について、図面を参照しながら詳細に説明する。
【００１２】
図１（ａ）（ｂ）および図２（ａ）（ｂ）に示すように、パネル材（例えばキッチン設備の吊り棚の下面パネル）１には、取付け用孔１ａが形成されている。
【００１３】
固定具２は、パネル材１の一方の面１ｂ側から取付け用孔１ａに嵌入される嵌入部２ａを有している。この嵌入部２ａの一端部には、パネル材１の一方の面１ｂに当て止められるツバ部２ｂが形成されている。また、嵌入部２ａには、ツバ部２ｂ側に底部２ｃを有する凹部２ｄが形成されている。
【００１４】
固定具２は、透明または半透明の透光性プラスチックで構成することが好ましく、透光性で無い場合には、少なくとも底部２ｃを透光性にする。
【００１５】
固定具２の嵌入部２ａは、凹部２ｄが形成されていることから、リング状となっており、このリング状の嵌入部２ａには、円周上等角度間隔（本例では９０度）で、両側の切り込み（スリット）によって軸直交方向に撓み可能な複数（本例では４個）の第１係止爪２ｅが形成されている。この第１係止爪２ｅは、パネル材１の一方の面１ｂに固定具２のツバ部２ｂが当て止められたときに、パネル材１の他方の面１ｃに係止されるようになる。
【００１６】
固定具２の嵌入部２ａの他端部には、第１係止爪２ｅとは相対位置がずらされて（本例では隣り合う第１係止爪２ｅに対して４５度）立ち上がり、軸直交方向に撓み可能な複数（本例では２個）の第２係止爪２ｆが形成されている。なお、図２（ｃ）に示すように、第２係止爪２ｆは、第１係止爪２ｅの上端縁から一体的に立ち上がるように形成することもできる。
【００１７】
ＬＥＤ照明器具３は、図３に詳細に示すように、ＬＥＤ（光源）３ａが固定具２の嵌入部２ａの凹部２ｄに嵌り込むとともに、ＬＥＤホルダー３ｂには、円周上等角度間隔（本例では９０度）で、複数（本例では４個）の円弧状長穴３ｃが形成されている。
【００１８】
この長穴３ｃは、ＬＥＤホルダー３ｂを固定具２の嵌入部２ａの他端縁に当てがうときに、固定具２の第２係止爪２ｆが挿通して、ＬＥＤホルダー３ｂを固定具２の嵌入部２ａの他端縁に当てがったときに、第２係止爪２ｆが長穴３ｃの縁部に係止されるようになる。なお、円弧状長孔３ｃの範囲でＬＥＤホルダー３ｂを回転させることができるので、ＬＥＤホルダー３ｂの回転方向に位置調整が可能になる。
【００１９】
前記のような構成であれば、先ず、図１（ａ）のように、パネル材１の取付け用孔１ａに固定具２の嵌入部２ａを矢印ａの方向から嵌入すると、パネル材１の一方の面１ｂに固定具２のツバ部２ｂが当て止められるとともに、固定具２の第１係止爪２ｅがパネル材１の他方の面１ｃに係止されることで、パネル材１の取付け用孔１ａに固定具２が取付けられるようになる。
【００２０】
次いで、図１（ｂ）のように、矢印ｂの方向からＬＥＤ照明器具３の長穴３ｃに嵌入部２ａの第２係止爪２ｆを挿通させながら、ＬＥＤ照明器具３を嵌入部２ａの他端縁に当てがうと、固定具２の第２係止爪２ｆが長穴３ｃの縁部に係止されることで、固定具２の他端縁にＬＥＤ照明器具３が取付けられるようになる。
【００２１】
このように、１点の部品である固定具２だけで、パネル材１の取付け用孔１ａに固定具２を取付け、固定具２にＬＥＤ照明器具３を取付けることができるので、取付け構造が簡単になるとともに、部品点数が減少してコスト安になる。
【００２２】
また、第２係止爪２ｆはＬＥＤ照明器具３を係止するために突出するだけであるので、パネル材１の他方の面（裏側）１ｃに無用なスペースが不要になって、省スペース化を図ることができる。
【００２３】
さらに、固定具２の嵌入部２ａの凹部２ｄにＬＥＤ照明器具３のＬＥＤ（光源）３ａを嵌め込むことで、透光性の底部２ｃを透してＬＥＤ３ａから照明できるので、固定具２を照明カバーとしても利用できるようになる。
【００２４】
また、第２係止爪２ｆを撓ませて係止を解除すれば、固定具２からＬＥＤ照明器具３を簡単に取り外すことができ、第１係止爪２ｅを撓ませて係止を解除すれば、パネル材１から固定具２を簡単に取り外すことができる。
【００２５】
前記実施形態では、固定具２の第２係止爪２ｆをＬＥＤ照明器具３の長穴３ｃに挿通させて係止させるようにしたが、必ずしも長穴３ｃに挿通させる必要は無い。
【００２６】
前記実施形態では、器具として、ＬＥＤ照明器具３を用いたが、ＬＥＤ以外の照明器具、例えば蛍光照明器具であっても良く、また、器具は、照明器具に限るものでは無く、警報器や煙感知器等であっても良い。
【図面の簡単な説明】
【００２７】
【図１】本発明の実施形態に係るＬＥＤ照明器具の取付け構造であり、（ａ）はパネル材に固定具を取付けた断面図、（ｂ）は固定具にＬＥＤ照明器具を取付けた断面図である。
【図２】（ａ）はパネル材と固定具とＬＥＤ照明器具の分解斜視図、（ｂ）は固定具の斜視図、（ｃ）は変形例の固定具の要部斜視図である。
【図３】ＬＥＤ照明器具であり、（ａ）は平面側の斜視図、（ｂ）はＬＥＤ側の底面（下面）図である。
【符号の説明】
【００２８】
１    パネル材
１ａ  取付け用孔
１ｂ  一方の面
１ｃ  他方の面
２    固定具
２ａ  嵌入部
２ｂ  ツバ部
２ｃ  底部
２ｄ  凹部
２ｅ  第１係止爪
２ｆ  第２係止爪
３    ＬＥＤ照明器具（器具）
３ａ  ＬＥＤ（光源）
３ｂ  ＬＥＤホルダー
３ｃ  長穴
【図１】
2008130303.tif 000003
【図２】
2008130303.tif 000004
【図３】
2008130303.tif 000005